(57)【特許請求の範囲】
【請求項１】
空調システムにおける空調系統として、熱媒を処理し供給するための機器と、前記熱媒を用いて空気調和を行った空気が供給される対象空間の入力を受け付ける空調系統入力受付手段と、
前記対象空間に対応付けて、空調設備の入力を受け付ける空調設備入力受付手段と、
前記機器および前記空調設備について、負荷率および定格電力の入力を受け付ける負荷率・定格電力入力受付手段と、
稼働を停止する空調設備の選択を受け付ける空調停止選択受付手段と、
前記選択の結果、および、前記機器と前記空調設備の負荷率と定格電力を用いて、前記空調系統についての空調負荷計算を行う空調負荷計算手段と、
を具備し、
前記空調負荷計算手段は、
前記機器の負荷率と定格電力を掛けた負荷量を、前記機器の空調停止前の負荷量として算出し、
前記空調設備の負荷率と定格電力を掛けた負荷量の、空調設備間での和を、前記空調設備の空調停止前の全負荷量として算出し、
前記空調設備の負荷率と定格電力を掛けた負荷量の、前記選択がされなかった空調設備間での和を、前記空調設備の空調停止後の全負荷量として算出し、
前記機器の空調停止後の負荷量として、前記機器の空調停止前の負荷量に、前記空調設備の空調停止後の全負荷量の、前記空調設備の空調停止前の全負荷量に対する比を掛けた値を算出することを特徴とする空調負荷計算装置。
【請求項２】
空調負荷計算装置により、
空調システムにおける空調系統として、熱媒を処理し供給するための機器と、前記熱媒を用いて空気調和を行った空気が供給される対象空間の入力を受け付けるステップと、
前記対象空間に対応付けて、空調設備の入力を受け付けるステップと、
前記機器および前記空調設備について、負荷率および定格電力の入力を受け付けるステップと、
稼働を停止する空調設備の選択を受け付けるステップと、
前記選択の結果、および、前記機器と前記空調設備の負荷率と定格電力を用いて、前記空調系統についての空調負荷計算を行うステップと、
を実行し、
前記空調負荷計算を行うステップでは、
前記機器の負荷率と定格電力を掛けた負荷量を、前記機器の空調停止前の負荷量として算出し、
前記空調設備の負荷率と定格電力を掛けた負荷量の、空調設備間での和を、前記空調設備の空調停止前の全負荷量として算出し、
前記空調設備の負荷率と定格電力を掛けた負荷量の、前記選択がされなかった空調設備間での和を、前記空調設備の空調停止後の全負荷量として算出し、
前記機器の空調停止後の負荷量として、前記機器の空調停止前の負荷量に、前記空調設備の空調停止後の全負荷量の、前記空調設備の空調停止前の全負荷量に対する比を掛けた値を算出することを特徴とする空調負荷計算方法。
【請求項３】
空調システムにおける空調系統として、熱媒を処理し供給するための機器と、前記熱媒を用いて空気調和を行った空気が供給される対象空間の入力を受け付ける空調系統入力受付手段と、
前記対象空間に対応付けて、空調設備の入力を受け付ける空調設備入力受付手段と、
前記機器および前記空調設備について、負荷率および定格電力の入力を受け付ける負荷率・定格電力入力受付手段と、
稼働を停止する空調設備の選択を受け付ける空調停止選択受付手段と、
前記選択の結果、および、前記機器と前記空調設備の負荷率と定格電力を用いて、前記空調系統についての空調負荷計算を行う空調負荷計算手段と、
してコンピュータを機能させ、
前記空調負荷計算手段は、
前記機器の負荷率と定格電力を掛けた負荷量を、前記機器の空調停止前の負荷量として算出し、
前記空調設備の負荷率と定格電力を掛けた負荷量の、空調設備間での和を、前記空調設備の空調停止前の全負荷量として算出し、
前記空調設備の負荷率と定格電力を掛けた負荷量の、前記選択がされなかった空調設備間での和を、前記空調設備の空調停止後の全負荷量として算出し、
前記機器の空調停止後の負荷量として、前記機器の空調停止前の負荷量に、前記空調設備の空調停止後の全負荷量の、前記空調設備の空調停止前の全負荷量に対する比を掛けた値を算出することを特徴とするプログラム。
【請求項４】
空調システムにおける空調系統として、熱媒を処理し供給するための機器と、前記熱媒を用いて空気調和を行った空気が供給される対象空間の入力を受け付ける空調系統入力受付手段と、
前記対象空間に対応付けて、空調設備の入力を受け付ける空調設備入力受付手段と、
前記機器および前記空調設備について、負荷率および定格電力の入力を受け付ける負荷率・定格電力入力受付手段と、
稼働を停止する空調設備の選択を受け付ける空調停止選択受付手段と、
前記選択の結果、および、前記機器と前記空調設備の負荷率と定格電力を用いて、前記空調系統についての空調負荷計算を行う空調負荷計算手段と、
してコンピュータを機能させ、
前記空調負荷計算手段は、
前記機器の負荷率と定格電力を掛けた負荷量を、前記機器の空調停止前の負荷量として算出し、
前記空調設備の負荷率と定格電力を掛けた負荷量の、空調設備間での和を、前記空調設備の空調停止前の全負荷量として算出し、
前記空調設備の負荷率と定格電力を掛けた負荷量の、前記選択がされなかった空調設備間での和を、前記空調設備の空調停止後の全負荷量として算出し、
前記機器の空調停止後の負荷量として、前記機器の空調停止前の負荷量に、前記空調設備の空調停止後の全負荷量の、前記空調設備の空調停止前の全負荷量に対する比を掛けた値を算出することを特徴とするプログラムを記録した記録媒体。
【発明の詳細な説明】
【技術分野】
【０００１】
本発明は、空調負荷の計算を行う空調負荷計算装置、空調負荷計算方法、プログラム、および記録媒体に関する。
【背景技術】
【０００２】
一般的に工場やオフィス等の建築物では、多くの部屋や種々の機能を有するスペースが存在し、これに伴って空調（空気調和）システムも複雑なものとなる。すなわち、空調システムが多くの系統に分かれていたり、各部屋等に様々な種類の空調機器が設置される。
【０００３】
このような建築物においても、省エネルギー等の目的から空調負荷を計算し把握することが有効である。現在、空調負荷の計算のため、様々な空調シミュレーションシステムが利用されている（特許文献１、２、３）。
【先行技術文献】
【特許文献】
【０００４】
【特許文献１】特開２００３−３４３８９４号公報
【特許文献２】特開２００８−２９８３７５号公報
【特許文献３】特開２０１１−１１２３２２号公報
【発明の概要】
【発明が解決しようとする課題】
【０００５】
しかしながら、特許文献１〜３も含め、従来のシステムは、日射や熱源などの計算を行うために煩雑な設定を行うことが必要であったり、空調システムの系統分けや、各部屋等への空調機器の対応付けなどを簡易に処理できるものではなく、前記のような複雑な空調システムを簡易に取り扱い、かつ精度よく電力削減量等を計算できるものではなかった。
【０００６】
本発明は、前述した問題点に鑑みてなされたもので、複雑な空調システムを簡易に取り扱い、空調負荷計算を簡便に行うことができる空調負荷計算装置等を提供することを目的とする。
【課題を解決するための手段】
【０００７】
前述した目的を達するための第１の発明は、空調システムにおける空調系統として、熱媒を処理し供給するための機器と、前記熱媒を用いて空気調和を行った空気が供給される対象空間の入力を受け付ける空調系統入力受付手段と、前記対象空間に対応付けて、空調設備の入力を受け付ける空調設備入力受付手段と、前記機器および前記空調設備について、負荷率および定格電力の入力を受け付ける負荷率・定格電力入力受付手段と、稼働を停止する空調設備の選択を受け付ける空調停止選択受付手段と、前記選択の結果、および、前記機器と前記空調設備の負荷率と定格電力を用いて、前記空調系統についての空調負荷計算を行う空調負荷計算手段と、を具備し、前記空調負荷計算手段は、前記機器の負荷率と定格電力を掛けた負荷量を、前記機器の空調停止前の負荷量として算出し、前記空調設備の負荷率と定格電力を掛けた負荷量の、空調設備間での和を、前記空調設備の空調停止前の全負荷量として算出し、前記空調設備の負荷率と定格電力を掛けた負荷量の、前記選択がされなかった空調設備間での和を、前記空調設備の空調停止後の全負荷量として算出し、前記機器の空調停止後の負荷量として、前記機器の空調停止前の負荷量に、前記空調設備の空調停止後の全負荷量の、前記空調設備の空調停止前の全負荷量に対する比を掛けた値を算出することを特徴とする空調負荷計算装置である。
【０００８】
第１の発明では、熱源を処理し供給するための機器、例えば冷凍機やボイラーなどの熱源装置や熱媒を搬送するためのポンプ等と、空調の対象となる対象空間を空調系統として登録するとともに、各対象空間に対応付けて空調設備を登録し、これらの機器や空調設備について負荷率と定格電力を入力する。その後、各空調設備のＯＮ／ＯＦＦの選択結果に基づいて空調負荷計算を行うことができる。
従って、複雑な空調システムであっても、個々の空調系統にわけて上記の各機器や対象空間等を登録するだけでこれを表現することができ、空調設備のＯＮ／ＯＦＦを選択するだけで、様々な空調負荷計算を行うことができる。また、空調負荷計算には負荷率を用いるが、負荷率は、空調等に関する様々な負荷条件、例えば空調の場合では日射条件や室条件等、を包含した値であるので、入力するパラメータが少なく、かつ高精度な負荷計算が可能になる。
【０００９】
また、このようにして、空調装置以外の、熱源を処理し供給するための前記の機器の空調停止後の負荷量を、空調装置のＯＮ／ＯＦＦに基づいて容易に算出することができる。
【００１０】
第２の発明は、空調負荷計算装置により、空調システムにおける空調系統として、熱媒を処理し供給するための機器と、前記熱媒を用いて空気調和を行った空気が供給される対象空間の入力を受け付けるステップと、前記対象空間に対応付けて、空調設備の入力を受け付けるステップと、前記機器および前記空調設備について、負荷率および定格電力の入力を受け付けるステップと、稼働を停止する空調設備の選択を受け付けるステップと、前記選択の結果、および、前記機器と前記空調設備の負荷率と定格電力を用いて、前記空調系統についての空調負荷計算を行うステップと、を実行し、前記空調負荷計算を行うステップでは、前記機器の負荷率と定格電力を掛けた負荷量を、前記機器の空調停止前の負荷量として算出し、前記空調設備の負荷率と定格電力を掛けた負荷量の、空調設備間での和を、前記空調設備の空調停止前の全負荷量として算出し、前記空調設備の負荷率と定格電力を掛けた負荷量の、前記選択がされなかった空調設備間での和を、前記空調設備の空調停止後の全負荷量として算出し、前記機器の空調停止後の負荷量として、前記機器の空調停止前の負荷量に、前記空調設備の空調停止後の全負荷量の、前記空調設備の空調停止前の全負荷量に対する比を掛けた値を算出することを特徴とする空調負荷計算方法である。
【００１２】
第３の発明は、空調システムにおける空調系統として、熱媒を処理し供給するための機器と、前記熱媒を用いて空気調和を行った空気が供給される対象空間の入力を受け付ける空調系統入力受付手段と、前記対象空間に対応付けて、空調設備の入力を受け付ける空調設備入力受付手段と、前記機器および前記空調設備について、負荷率および定格電力の入力を受け付ける負荷率・定格電力入力受付手段と、稼働を停止する空調設備の選択を受け付ける空調停止選択受付手段と、前記選択の結果、および、前記機器と前記空調設備の負荷率と定格電力を用いて、前記空調系統についての空調負荷計算を行う空調負荷計算手段と、してコンピュータを機能させ、前記空調負荷計算手段は、前記機器の負荷率と定格電力を掛けた負荷量を、前記機器の空調停止前の負荷量として算出し、前記空調設備の負荷率と定格電力を掛けた負荷量の、空調設備間での和を、前記空調設備の空調停止前の全負荷量として算出し、前記空調設備の負荷率と定格電力を掛けた負荷量の、前記選択がされなかった空調設備間での和を、前記空調設備の空調停止後の全負荷量として算出し、前記機器の空調停止後の負荷量として、前記機器の空調停止前の負荷量に、前記空調設備の空調停止後の全負荷量の、前記空調設備の空調停止前の全負荷量に対する比を掛けた値を算出することを特徴とするプログラムある。
【００１４】
第４の発明は、空調システムにおける空調系統として、熱媒を処理し供給するための機器と、前記熱媒を用いて空気調和を行った空気が供給される対象空間の入力を受け付ける空調系統入力受付手段と、前記対象空間に対応付けて、空調設備の入力を受け付ける空調設備入力受付手段と、前記機器および前記空調設備について、負荷率および定格電力の入力を受け付ける負荷率・定格電力入力受付手段と、稼働を停止する空調設備の選択を受け付ける空調停止選択受付手段と、前記選択の結果、および、前記機器と前記空調設備の負荷率と定格電力を用いて、前記空調系統についての空調負荷計算を行う空調負荷計算手段と、してコンピュータを機能させ、前記空調負荷計算手段は、前記機器の負荷率と定格電力を掛けた負荷量を、前記機器の空調停止前の負荷量として算出し、前記空調設備の負荷率と定格電力を掛けた負荷量の、空調設備間での和を、前記空調設備の空調停止前の全負荷量として算出し、前記空調設備の負荷率と定格電力を掛けた負荷量の、前記選択がされなかった空調設備間での和を、前記空調設備の空調停止後の全負荷量として算出し、前記機器の空調停止後の負荷量として、前記機器の空調停止前の負荷量に、前記空調設備の空調停止後の全負荷量の、前記空調設備の空調停止前の全負荷量に対する比を掛けた値を算出することを特徴とするプログラムを記録した記録媒体である。
【発明の効果】
【００１６】
本発明により、複雑な空調システムを簡易に取り扱い、空調負荷計算を簡便に行うことができる空調負荷計算装置等を提供することができる。
【図面の簡単な説明】
【００１７】
【図１】空調負荷計算装置１の構成について示す図
【図２】空調負荷計算装置１の機能構成を示す図
【図３】空調システム３の例を示す図
【図４】空調負荷計算装置１の処理の流れを説明する図
【図５】入力データの例を示す図
【図６】空調負荷計算結果の表示例を示す図
【発明を実施するための形態】
【００１８】
以下、本発明の実施形態を、図面を参照しながら詳細に説明する。
【００１９】
図１は、本発明の実施形態に係る空調負荷計算装置１のハードウエア構成の一例を示す図である。空調負荷計算装置１は、制御部１１、記憶部１２、メディア入出力部１３、通信制御部１４、入力部１５、表示部１６、周辺機器Ｉ／Ｆ部１７等がバス１８を介して接続されて構成される。
【００２０】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、ＲＯＭ、記憶部１２等に格納されるプログラムをＲＡＭ上のワークメモリ領域に呼び出して実行し、バス１８を介して接続された各装置を駆動制御し、後述する各処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部１２、ＲＯＭ、記憶媒体等からロードしたプログラム、データ等を一時的に保持するとともに、制御部１１が各種処理を行うために使用するワークエリアを備える。
【００２１】
記憶部１２は、ＨＤＤ（ハードディスクドライブ）等であり、制御部１１が実行するプログラム、プログラム実行に必要なデータ、ＯＳ（Ｏｐｅｒａｔｉｎｇ  Ｓｙｓｔｅｍ）等が格納される。プログラムに関しては、ＯＳに相当する制御プログラムや、アプリケーションプログラム、ファイル等が格納されている。これらの各プログラムコードは、制御部１１により必要に応じて読み出されてＲＡＭに移され、ＣＰＵにより後述する各種の手段として実行される。後述の各処理を行うためのプログラムも記憶部１２に記憶される。
【００２２】
メディア入出力部１３は、記録媒体のデータの入出力を行うドライブ装置であり、例えば、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
通信制御部１４は、通信制御装置、通信ポート等を有し、通信を媒介する通信インタフェースである。
【００２３】
入力部１５は、データの入力を行い、例えば、キーボード、マウス等のポインティングデバイス、テンキー等の入力装置を有する。入力部１５を介して、空調負荷計算装置１に対して、操作指示、動作指示、データ入力等を行うことができる。
表示部１６は、ＣＲＴ（Ｃａｔｈｏｄｅ  Ｒａｙ  Ｔｕｂｅ）モニタ、液晶パネル等のディスプレイ装置、ディスプレイ装置と連携してビデオ機能を実現するための論理回路等（ビデオアダプタ等）を有する。
【００２４】
周辺機器Ｉ／Ｆ部１７は、ＵＳＢ（Ｕｎｉｖｅｒｓａｌ  Ｓｅｒｉａｌ  Ｂｕｓ）ポート等である。
バス１８は、各装置間の制御信号、データ信号等の授受を媒介する経路である。
【００２５】
なお、図１の空調負荷計算装置１のハードウエア構成は一例であり、必須構成ではない。適宜様々な構成をとることが可能である。
【００２６】
次に、図２を用いて空調負荷計算装置１の機能構成について説明する。
図に示すように、空調負荷計算装置１は、空調系統入力受付手段２１、空調設備入力受付手段２２、負荷率・定格電力入力受付手段２３、空調停止選択受付手段２４、空調負荷計算手段２５等を有する。
【００２７】
空調系統入力受付手段２１は、空調負荷計算装置１の制御部１１が、空調システムにおける空調系統として、熱媒を処理し供給するための、熱源機器やポンプなどの機器と、該熱媒を用いて空気調和を行った空調空気が供給される対象空間の入力を受け付けるものである。
【００２８】
空調設備入力受付手段２２は、空調負荷計算装置１の制御部１１が、対象空間に設置した空調機やＦＣＵ（fan coil unit）等の空調設備や、対象空間に空調空気を供給する空調設備など、前記の対象空間に対応付けられる空調設備の入力を受け付けるものである。
【００２９】
負荷率・定格電力入力受付手段２３は、空調負荷計算装置１の制御部１１が、前記の機器および空調設備について、負荷率および定格電力の入力を受け付けるものである。
【００３０】
空調停止選択受付手段２４は、空調負荷計算装置１の制御部１１が、稼働を停止する空調設備の選択を受け付けるものである。
【００３１】
空調負荷計算手段２５は、空調負荷計算装置１の制御部１１が、上記の機器、空調設備の負荷率および定格電力と、上記の選択結果に基づき、空調負荷計算を行うものである。
後述の例では、入力した空調系統について、空調停止前の負荷量（消費電力量）、空調停止後の負荷量、および空調停止前後の負荷低減量を算出する。
【００３２】
次に、図３から図５を参照しながら、空調負荷計算装置１における処理について説明する。
【００３３】
まず、図３を参照して、本実施形態において空調負荷計算の対象となる空調システム３について説明する。
【００３４】
図に示すように、この空調システム３は、複数の空調系統３０−１〜３０−ｎから構成されている。
【００３５】
空調系統３０−１を例に挙げると、該空調系統３０−１は、水等の熱媒を熱源設備である冷凍機３２で冷却処理し、ポンプ３４等を用いて外調機３６（外気処理空気調和機）に供給する熱源部３０ａと、外調機３６で外気を取り込み、前記の熱媒でこれを冷却して各部屋３７（対象空間）に供給し空調を行う空調部３０ｂで構成されている。
【００３６】
熱源部３０ａには、各冷凍機３２−１、３２−２への熱媒の供給を行うためのポンプ３１−１、３１−２、熱媒の冷却処理を行う冷凍機３２−１、３２−２、各冷凍機３２−１、３２−２で冷却した熱媒を集めて複数の流路に分岐して搬送するためのヘッダー３３−１、３３−２、前記流路における搬送を行うためのポンプ３４−１〜３４−６、および各流路で搬送された熱媒を集め、外調機３６−１、３６−２へ供給するためのヘッダー３５等が設けられる。
また、空調部３０ｂでは、取り込んだ外気を前記の熱媒を用いて冷却する外調機３６−１、３６−２、およびこれらの外調機３６−１、３６−２により冷却された外気が空調空気として供給され空調が行われる部屋３７−１〜３７−５が存在する。外調機３６−１と部屋３７−１〜３７−３は対応しており、外調機３６−１からこれらの部屋に空調空気が供給され、外調機３６−２と部屋３７−４、３７−５は対応しており、外調機３６−２からこれらの部屋に空調空気が供給される。各部屋には空調機やＦＣＵなどの空調設備が設置される。
【００３７】
なお、空調系統はもちろんこれに限ることはなく、その他様々な構成が考えられる。例えば前記の熱源設備として冷凍機３２の代わりにボイラーが用いられる場合もある。また、空調の対象となる対象空間は部屋に限らず、各種のスペースでもよい。
【００３８】
図４は、空調負荷計算装置１における空調負荷計算の流れを示すフローチャートである。
【００３９】
図４に示すように、空調負荷計算を行う際、まず、ユーザは、空調負荷計算装置１を操作して、計算対象の空調システム３の空調系統３０−１として、該空調系統３０−１の熱源部３０ａに設けられる熱源設備、ポンプなどの機器と、空調部３０ｂにおいて空調対象となる対象空間を入力する。空調負荷計算装置１の制御部１１はこの入力を受け付ける（Ｓ１０１）。
【００４０】
ユーザによる入力結果を示す図が図５である。
ここでは、図５（ａ）に示す熱源部テーブル５０において、「空調系統」の項目５１に空調系統３０−１が入力され、「機器」の項目５２に、熱源部３０ａにおける冷凍機３２−１、３２−２と、ポンプ３１−１、３１−２、３４−１〜３４−６が入力される。
【００４１】
また、図５（ｂ）に示す空調部テーブル６０において、「空調系統」の項目６１に空調系統３０−１が入力され、「部屋」の項目６２に、空調部３０ｂにおける対象空間である、部屋３７−１〜３７−５、（外調機３６−１に対応する）部屋３７−１〜３７−３、（外調機３６−２に対応する）部屋３７−４、３７−５が入力される。
なお、以上の各テーブル、および後述する選択テーブル７０は、空調負荷計算装置１の記憶部１２やＲＡＭ等に記憶される。
【００４２】
次に、ユーザは、空調部３０ｂの部屋３７−１〜３７−５に対応する空調設備を入力する。空調負荷計算装置１の制御部１１は、この入力を受け付ける（Ｓ１０２）。
【００４３】
ここでは、図５（ｂ）に示す空調部テーブル６０において、「空調設備」の項目６３に、各部屋３７−１〜３７−５に設ける空調設備と、部屋３７−１〜３７−３に対応する外調機３６−１として用いる空調設備と、部屋３７−４、３７−５に対応する外調機３６−２として用いる空調設備が入力される。
例えば、部屋３７−１〜３７−３に設ける空調設備として「空調機」が入力され、部屋３７−４、３７−５に設ける空調設備として「ＦＣＵ」が入力され、外調機３６−１、３６−２として用いる空調設備として「空調機」が入力される。
【００４４】
次に、ユーザは、空調系統３０−１における各機器および各空調設備の負荷率（％）と定格電力（kW）を入力する。空調負荷計算装置１の制御部１１は、この入力を受け付ける（Ｓ１０３）。負荷率としては、例えば過去の所定期間における消費電力の積算値を求めておき、これを定格電力の同期間での積算値で割った比などを用いることができる。
【００４５】
ここでは、図５（ａ）の熱源部テーブル５０において、「負荷率」の項目５３と「定格電力」の項目５４のそれぞれに、熱源部３０ａの冷凍機３２−１、３２−２、ポンプ３１−１、３１−２、３４−１〜３４−６の負荷率および定格電力が入力される。
また、図５（ｂ）に示す空調部テーブル６０において、「負荷率」の項目６４と「定格電力」の項目６５のそれぞれに、部屋３７−１〜３７−５の空調設備、および外調機３６−１、３６−２として用いる空調設備の負荷率と定格電力が入力される。
【００４６】
なお、各部屋に設けられる空調設備が、パッケージ型空調機など、空調系統３０−１の負荷に影響を与えないものである場合は、負荷率等を０として登録するか、あるいは登録を省略すればよい。
【００４７】
その後、ユーザは、稼働を停止する空調設備を選択し入力する。空調負荷計算装置１の制御部１１は、この選択入力を受け付ける（Ｓ１０４）。
【００４８】
ここでは、空調部３０ｂの各部屋３７−１〜３７−５の空調設備、および、外調機３６−１、３６−２として用いる空調設備について、そのＯＮ／ＯＦＦを選択入力する。
この選択入力の内容を示すものが図５（ｃ）の選択テーブル７０であり、ここでは、計算対象の空調系統３０−１（項目７１）の部屋３７−１〜３７−３（項目７２）の空調設備、および部屋３７−１〜３７−３（項目７２）に対応する外調機３６−１として用いる空調設備をＯＦＦとすることが、「ＯＮ／ＯＦＦ」の項目７３にて入力される。
一方、部屋３７−４、３７−５（項目７２）の空調設備、および部屋３７−４、３７−５（項目７２）に対応する外調機３６−２として用いる空調設備をＯＮとすることが、「ＯＮ／ＯＦＦ」の項目７３にて入力される。
【００４９】
実際の選択時にも、例えば選択画面として「部屋」の項目７２の内容（部屋３７−１等）のみ提示して、部屋に対応するＯＮ／ＯＦＦの入力を介して、当該部屋に対応する空調機器のＯＮ／ＯＦＦの選択を行うようにしておけば、実際の空調設備を意識することなく直感的に選択を行える。
【００５０】
次に、空調負荷計算装置１の制御部１１は、空調系統３０−１における空調負荷計算を行う（Ｓ１０５）。
【００５１】
空調負荷計算装置１は、熱源部３０ａの各機器や空調部３０ｂの各空調設備の負荷率と定格電力、および前記の選択結果に基づき、空調負荷の計算を行う。ここでは、空調系統３０−１について、（１）空調停止前の負荷量、（２）空調停止後の負荷量、および（３）空調停止による負荷低減量を算出する例について説明する。
【００５２】
Ｓ１０５において、空調負荷計算装置１は、熱源部３０ａにおける各機器の空調停止前の負荷量ＬＨ１を算出する。
ここでは、図５（ａ）の熱源部テーブル５０の、「負荷量（空調停止前）」の項目５５で示すように、各機器について、（負荷率）×（定格電力）により負荷量ＬＨ１を算出する。
【００５３】
また、空調負荷計算装置１は、空調部３０ｂの空調設備の空調停止前の全負荷量ΣＬＡ１を算出する。
ここでは、図５（ｂ）の空調部テーブル６０の、「負荷量（空調停止前）」の項目６６で示すように、各空調設備について、（負荷率）×（定格電力）により負荷量ＬＡ１を算出し、範囲Ｂで示すように、空調設備間での和ΣＬＡ１を算出する。
【００５４】
空調負荷計算装置１は、さらに、空調部３０ｂの空調設備における空調停止後の全負荷量ΣＬＡ２を算出する。ここでは、図５（ｂ）の空調部テーブル６０の、「負荷量（空調停止後）」の項目６７で示すように、各空調設備について、（負荷率）×（定格電力）の値ＬＡ２を、前記のＳ１０４において稼働停止が選択されたものについては負荷量を０として算出する。その後、範囲Ｃで示すように、空調部３０ｂの空調設備間での和ΣＬＡ２を算出する。
すなわち、ここでは前記のＳ１０４において稼働停止が選択されなかった空調設備間で、前記のＬＡ２の和をとっていることになる。
【００５５】
そして、空調負荷計算装置１は、熱源部３０ａの各機器の空調停止後の負荷量ＬＨ２を、空調停止前の負荷量ＬＨ１に、前記求めたΣＬＡ２のΣＬＡ１に対する比を掛けた値ＬＨ１×（ΣＬＡ２／ΣＬＡ１）として算出する。
つまり、ここでは空調部３０ｂでの負荷低減の割合と同じ割合で熱源部３０ａの各機器でも負荷が低減されるものとしている。
【００５６】
図５の例では、ΣＬＡ２／ΣＬＡ１＝８．２／１４．１であり、およそ０．５８となるので、各機器の空調停止後の負荷量ＬＡ２として、空調停止前の負荷量ＬＡ１（項目５５）に０．５８を掛けた値が算出され、図５（ａ）の熱源部テーブル５０の「負荷量（空調停止後）」の項目５６に記録される。
【００５７】
また、空調負荷計算装置１は、熱源部３０ａの機器における空調停止前の全負荷量ΣＬＡ１と、空調停止後の全負荷量ΣＬＡ２を算出する。
ここでは、図５（ａ）の熱源部テーブル５０の、「負荷量（空調停止前）」の項目５５の範囲Ａで示すように、各機器について、前記のＬＡ１の機器間での和ΣＬＡ１を算出する。また、「負荷量（空調停止後）」の項目５６の範囲Ｄで示すように、各機器について、前記のＬＡ２の機器間での和ΣＬＡ２を算出する。
【００５８】
空調系統３０−１における（１）空調停止前の負荷量は、上記のΣＬＨ１とΣＬＡ１の和により算出される。また、（２）空調停止前の負荷量は、上記のΣＬＨ２とΣＬＡ２の和により算出される。
（３）空調停止による負荷削減量は、（１）空調停止前の負荷量から（２）空調停止後の負荷量を引いて算出できる。
【００５９】
最後に、空調負荷計算装置１の制御部１１は、空調負荷計算の結果を表示部１６に表示し（Ｓ１０６）、処理を終了する。図６は計算結果の表示例であり、例えば前記の（１）〜（３）で求めた各値がグラフで表示される。以上の処理は、空調システム３における空調系統３０−１〜３０−ｎごとに行われる。
【００６０】
なお、本実施形態では部屋３７−１〜３７−３に対応する外調機３６−１、および部屋３７−４、３７−５に対応する外調機３６−２について、空調設備として独立に登録およびＯＮ／ＯＦＦの選択をするようにしているが、例えば外調機のＯＮ／ＯＦＦ、あるいは空調負荷計算時の負荷率を部屋３７−１〜３７−５のＯＮ／ＯＦＦと連動させてもよい。この場合、外調機のＯＮ／ＯＦＦの設定を不要とすることも可能になる。
【００６１】
例えば、図３や図５の例では、外調機３６−１は部屋３７−１〜３７−３に対応するが、前記のＳ１０４で部屋３７−１〜３７−３の全てがＯＦＦと選択された場合に自動的にＯＦＦと設定することもできる。
また、部屋３７−１〜３７−３のＯＮ／ＯＦＦの設定に合わせて外調機３６−１の負荷率を変動させるようにしてもよい。例えば、外調機３６−１の負荷率に、部屋３７−１〜３７−３の空調設備のうち、ＯＮとなった空調設備の負荷量の和の、全ての空調設備の負荷量の和に対する比を掛けた負荷率を前記の計算に用いるようにすることもできる。
【００６２】
以上説明したように、本実施形態によれば、冷凍機３２やポンプ３１、３４等、熱源部３０ａの各機器と、空調部３０ｂにおける部屋３７を空調系統３０として登録するとともに、各部屋３７に対応付けて空調設備を登録し、これらの機器や空調設備について負荷率と定格電力を入力する。その後、各空調設備のＯＮ／ＯＦＦの選択結果に基づいて空調負荷計算を行うことができる。
従って、複雑な空調システム３であっても、個々の空調系統３０−１〜３０−ｎにわけて上記の機器や部屋等を登録するだけでこれを表現することができ、空調設備のＯＮ／ＯＦＦを選択するだけで、様々な空調負荷計算を行うことができる。また、空調負荷計算には負荷率を用いるが、負荷率は、空調等に関する様々な負荷条件、例えば空調の場合では日射条件や室条件等、を包含した値であるので、入力するパラメータが少なく、かつ高精度な負荷計算が可能になる。
【００６３】
また、本実施形態では、前記の計算処理により、熱源部３０ａの各機器の空調停止後の負荷量を、空調装置のＯＮ／ＯＦＦに基づいて容易に算出することができる。
【００６４】
以上、添付図面を参照しながら、本発明の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６５】
１：空調負荷計算装置
３：空調システム
２１：空調系統入力受付手段
２２：空調設備入力受付手段
２３：定格電力入力受付手段
２４：空調停止空間選択受付手段
２５：空調負荷計算手段
３０ａ：熱源部
３０ｂ：空調部
【図１】
0005929413.tif 000002
【図２】
0005929413.tif 000003
【図３】
0005929413.tif 000004
【図４】
0005929413.tif 000005
【図５】
0005929413.tif 000006
【図６】
0005929413.tif 000007